(57)【要約】【課題】ＬＥＤ照明機器の照明部に動作内容を表示する。【解決手段】リモコンにより照明点灯の送信信号が受光素子１０を介して信号処理回路１２に入力されると、信号処理回路１２は、上記送信信号の固有のビット列に対応する「点灯」の動作コマンドを検索し、「点灯」動作コマンドに応じた「点灯」動作信号および「点灯」表示信号を、走査線駆動回路１４および信号線駆動回路１６に送信する。走査線駆動回路１４および信号線駆動回路１６は、「点灯」動作信号に相当する電流および「点灯」表示信号に相当する電流をそれぞれＬＥＤ照明部１８の各ＬＥＤ２０に供給する。これにより、ＬＥＤ２０群のほぼ全体に電流が供給され発光するとともに、残りの一部のＬＥＤ２０群の一部のＬＥＤ２０のみ発光させ、その周りのＬＥＤ２０は発光させずに、ＬＥＤ照明部１８の一部に「ＯＮ」の文字表示を行う。【選択図】図１
2006003750.tif 000002
【特許請求の範囲】
【請求項１】
送信信号を受けて、その送信信号に応じた動作を検索する検索部と、
検索された動作内容を表示するＬＥＤ照明部と、
を有することを特徴とするＬＥＤ照明機器。
【請求項２】
請求項１に記載のＬＥＤ照明機器において、
前記ＬＥＤ照明部は、その照明部分の全体または一部に検索された動作内容を表示することを特徴とするＬＥＤ照明機器。
【請求項３】
請求項１または請求項２に記載のＬＥＤ照明機器において、
前記動作内容は、点灯、消灯、点滅、タイマー表示、フェードイン、フェードアウト、照度変化を有する群から選択される少なくとも１種類の動作であることを特徴とするＬＥＤ照明機器。
【請求項４】
請求項１から請求項３のいずれか１項に記載のＬＥＤ照明機器において、
前記ＬＥＤ照明部は、赤、青、緑の発光層を有する３種類の発光ダイオードのアレイからなることを特徴とするＬＥＤ照明機器。
【発明の詳細な説明】
【技術分野】
【０００１】
ＬＥＤ照明部分に動作内容を表示するＬＥＤ照明機器に関する。
【背景技術】
【０００２】
一般に、照明機器としては蛍光灯が代表的であり、また、各種ランプが照明機器用として普及している。
【０００３】
上記ランプや蛍光灯は、ＯＮ／ＯＦＦのみの動作であり、照度の調節は、ランプや蛍光灯の数量によって段階的に調整されていた。
【発明の開示】
【発明が解決しようとする課題】
【０００４】
しかしながら、上述したように、ランプや蛍光灯による照明は、微妙な明るさの調整を行うことが難しい。
【０００５】
そこで、近年では、リニアの明るさを調整できるＬＥＤ照明機器が注目され始めている。
【０００６】
一方、従来、送信機であるリモコンにより照明機器の明るさ調整や電源のＯＮ／ＯＦＦを行う場合、照明器の動作や明るさの度合いを目視確認することによって、ユーザーはリモコンよる操作が正しく行われたか否かを判断していた。
【０００７】
本発明は、送信機であるリモコン送信信号のビット列に応じた動作内容をＬＥＤ照明部に動作表示するＬＥＤ照明機器を提供することを目的とする。
【課題を解決するための手段】
【０００８】
本発明のＬＥＤ照明機器は、以下の特徴を有する。
【０００９】
（１）送信信号を受けて、その送信信号に応じた動作を検索する検索部と、検索された動作内容を表示するＬＥＤ照明部と、有するＬＥＤ照明機器である。
【００１０】
上記構成により、ユーザーは、送信機であるリモコンから動作内容を送信した場合、その動作内容がＬＥＤ照明部に表示されるため、目視でその動作内容を容易に確認することができる。
【００１１】
（２）上記（１）に記載のＬＥＤ照明機器において、前記ＬＥＤ照明部は、その照明部分の全体または一部に検索された動作内容を表示するＬＥＤ照明機器である。
【００１２】
照明部分の全体または一部に動作内容を表示することによって、ユーザーは自己の指定した動作内容を容易に視認することができる。
【００１３】
（３）上記（１）または（２）に記載のＬＥＤ照明機器において、前記動作内容は、点灯、消灯、点滅、タイマー表示、フェードイン、フェードアウト、照度変化を有する群から選択される少なくとも１種類の動作であるＬＥＤ照明機器である。
【００１４】
主に、照明機器における動作内容の少なくとも１種を表示することによって、ユーザーに容易に動作内容を目視で確認させることができる。
【００１５】
（４）上記（１）から（３）のいずれか１項に記載のＬＥＤ照明機器において、前記ＬＥＤ照明部は、赤、青、緑の発光層を有する３種類の発光ダイオードのアレイからなるＬＥＤ照明機器である。
【００１６】
赤、青、緑の発光層を有する３種類の発光ダイオードを用いて、動作内容を、文字表示および／または図形表示を行うことができ、よりユーザーに対して視認性を向上させることができる。
【発明の効果】
【００１７】
以上説明したように、本発明によれば、送信機であるリモコンにより送信された送信信号に対応する動作内容をＬＥＤ照明部に表示することができるため、ユーザーは自己の指定した動作内容を容易に目視にて確認することができる。ユーザーフレンドリーな照明機器を提供することができる。
【発明を実施するための最良の形態】
【００１８】
以下、本発明の実施形態について、図面に基づいて説明する。
【００１９】
図１は、実施形態のＬＥＤ照明機器の構成を示すブロック図である。
【００２０】
本実施の形態のＬＥＤ照明機器は、図１に示すように、送信機であるリモコンからの送信信号を受信する受光素子１０と、受光素子１０にて受信した送信信号のビット列に応じた動作コマンドを検索し、検索された動作コマンドに応じたＬＥＤ照明部１８の照明を行う動作信号を生成させるとともに、該動作コマンドに相当する動作内容を表示する表示信号を生成させる信号処理回路１２と、信号処理回路１２から出力された前記動作信号および／または表示信号を受信し、ＬＥＤ照明部１８の信号線を駆動させる信号線駆動回路１６と、信号処理回路１２から出力される前記動作信号および／または表示信号を受信し、ＬＥＤ照明部１８の走査線を駆動させる走査線駆動回路１４と、前記信号線駆動回路１６および走査線駆動回路１４からの駆動電流に応じて照明可能な複数のＬＥＤ２０からなるＬＥＤ群により構成されたＬＥＤ照明部１８と、を有する。
【００２１】
上記ＬＥＤ照明部１８を構成するＬＥＤ群は、赤、青、緑の発光層を有する３種類の発光ダイオードからなってもよく、また、単一の白色発光の発光ダイオードでもよい。なお、図２に示すように、上記３種類の発光ダイオードからなるＬＥＤ群の場合は、照明用の白色光を形成可能なように、Ｒ／Ｇ／Ｂの複数のＬＥＤ２０が均一に配置されていることが好ましい。
【００２２】
次に、図１から図４を用いて、Ｒ／Ｇ／Ｂの３種類のＬＥＤ２０からなるＬＥＤ群から構成されたＬＥＤ照明部１８を有する場合を例にとり、動作内容を表示について説明する。
【００２３】
ユーザーが送信機であるリモコンを用いて動作指示を送信した場合、リモコンから出力された送信信号は受光素子１０に受信され、受光素子１０は、送信信号を信号処理回路１２に送信する。信号処理回路１２には、予め送信信号のビット列に相当する動作コマンドが一対一で格納されている。したがって、送信信号が信号処理回路１２に入力されると、信号処理回路１２では、入力した送信信号のビット列に対応する動作コマンドを検査して、検索された動作コマンドに応じたＬＥＤ照明部１８の照明を行う動作信号と、該動作コマンドに相当する動作内容を表示する表示信号とを生成させ、この動作信号および表示信号は、それぞれ走査線駆動回路１４および信号線駆動回路１６に出力される。走査線駆動回路１４および信号線駆動回路１６から出力される電流に応じてＬＥＤ２０からなるＬＥＤ群の照明動作および表示が制御される。
【００２４】
例えば、Ｒ／Ｇ／ＢからなるＬＥＤ群のＬＥＤ照明部１８において、照明用として、Ｒ／Ｇ／ＢのＬＥＤ２０群に均一に走査線駆動回路１４および信号線駆動回路１６から電流を出力することによって、照明を行うことができ、さらに、均一に流す電流値を調整することによって、照度コントロールすることができる。さらに、ＬＥＤ２０は供給する電流値をリニアに変えることによって、ＬＥＤ２０における照度をリニアに変化させることができる。
【００２５】
また、ＬＥＤ照明機器では、ＬＥＤ照明部１８を構成するＬＥＤ２０のチップの数が多い。
【００２６】
そこで、以下のような照明および動作表示を行うことができる。
【００２７】
［文字表示、図形表示］
以下に、文字表示、図形表示について具体例を挙げて説明する。
【００２８】
リモコンによりユーザーから照明点灯の送信信号が受光素子１０を介して信号処理回路１２に入力されると、信号処理回路１２は、照明点灯の送信信号の固有のビット列に対応する「点灯」の動作コマンドを検索し、この「点灯」動作コマンドに応じた「点灯」動作信号および「点灯」表示信号を、走査線駆動回路１４および信号線駆動回路１６に送信する。そして、走査線駆動回路１４および信号線駆動回路１６のそれぞれから「点灯」動作信号に相当する電流および「点灯」表示信号に相当する電流がＬＥＤ照明部１８の各ＬＥＤ２０に供給される。ここで、ＬＥＤ２０群のほぼ全体に均一の電流を供給して白色に発光させるとともに、残りの一部のＬＥＤ２０群において、図３に示すように、緑（Ｇ）のＬＥＤ２０のみに電流が供給され発光し、その周りの青（Ｂ）および赤（Ｒ）のＬＥＤ２０には電流が供給されず未発光のままとなり、これによりＬＥＤ照明部１８の照明部分の一部に「ＯＮ」の文字表示が行われる。
【００２９】
なお、上述の場合は、文字表示以外の周りの青（Ｂ）および赤（Ｒ）のＬＥＤ２０は未発光としたが、これに限るものではなく、緑（Ｇ）のＬＥＤ２０による文字表が視認可能な程度に文字表示以外の周りの青（Ｂ）および赤（Ｒ）のＬＥＤ２０の照度を落とすことによっても文字表示を行うことができる。また、文字表示のＬＥＤ２０の色を緑ではなく、信号処理回路１２からの動作コマンドにおける表示信号の表示色を変更することによって、赤または青により文字表示を行ってもよい。
【００３０】
また、上述の場合は、ＬＥＤ照明部１８の照明部分の一部に「ＯＮ」の文字表示を行うことについて説明したがこれに限るものではなく、信号処理回路１２からの動作コマンドにおける表示信号を全体表示の表示信号に変えることによって、ＬＥＤ全体に上記同様に「ＯＮ」の文字を単色表示させることができる。
【００３１】
また、上述の場合、照明を白色とするために、表示に供しないＲ／Ｇ／ＢのＬＥＤ２０には均一に電流を供給したが、これに限るものではなく、Ｒ／Ｇ／ＢのＬＥＤ２０のいずれか１つを未発光として、照明の色相を変更させてもよい。
【００３２】
また、図４に示すように、「点灯」に相当する図形表示３０を行ってもよい。
【００３３】
同様にして、照明の「消灯」の場合も、消灯に相当する送信信号が受信されると、「消灯」の動作コマンドが信号処理回路１２により検索され、信号処理回路１２からの信号に基づき、走査線駆動回路１４および信号線駆動回路１６のそれぞれから「消灯」動作信号に相当する電流および「消灯」表示信号に相当する電流がＬＥＤ照明部１８の各ＬＥＤ２０に供給される。ここで、ＬＥＤ２０群のほぼ全体に均一の電流を供給して白色に発光させるとともに、残りの一部のＬＥＤ２０群が図３に示すように、緑（Ｇ）のＬＥＤ２０のみ電流を供給して発光させ、その周りの青（Ｂ）および赤（Ｒ）のＬＥＤ２０には電流を供給させずに未発光のままとし、これによりＬＥＤ照明部１８の照明部分の一部に「ＯＦＦ」の文字表示を行うことができる。なお、表示の仕方は、上記「ＯＮ」表示同様に、いかようにも変えることができる。また、「消灯」に相当する図形表示を行ってもよい。
【００３４】
また、照度を変更する場合は、例えば予め低照度「Ｌ」、通常照度「Ｍ」、高照度「Ｈ」と文字表示するとともに各照度の度合いを選定しておき、送信信号の照度度合いに応じて、上述同様に、ＬＥＤ２０群の供給する電流値をコントロールして照度を調整するとともに、ＬＥＤ照明部１８の一部または全体に「Ｌ」、「Ｍ」、「Ｈ」の文字表示を行ってもよい。また、照度の段階別に「１」から「１０」に予め段階分けして割り振り、上述同様に照度をコントロールするとともに、ＬＥＤ照明部１８の一部または全体に「１」、・・・、「１０」のいずれかを文字表示をおこなってもよい。
【００３５】
次に、タイマー表示について以下に説明する。
【００３６】
通常、照明機器では、タイマー動作を照明機器から確認することは困難であった。そこで、本実施の形態では、タイマー設定時間に応じて、ＬＥＤ照明部１８の一部または全体で設定時間を文字表示するか、または、ＬＥＤ照明部１８の一部のＬＥＤ２０群を設定時間に応じて複数回点滅させることによって、ユーザーに対してタイマー動作を確認させることができる。
【００３７】
例えば、タイマー機能を利用して５分後にＬＥＤ照明機器を点灯させる場合、タイマー機能による５分後点灯に相当する送信信号が信号処理回路１２にて受信されると、「５分後点灯」の動作コマンドが信号処理回路１２により検索され、信号処理回路１２から走査線駆動回路１４および信号線駆動回路１６のそれぞれから「５分後点灯」動作信号に相当する電流および「点滅」表示信号に相当する電流がＬＥＤ照明部１８の各ＬＥＤ２０に供給される。これにより、上述同様、ＬＥＤ照明部１８の全体または一部において、特定色のＬＥＤ２０を用いて「５Ｍ  ＯＮ」の文字表示がなされ、さらに、走査線駆動回路１４および信号線駆動回路１６に設けられているタイマーに基づき、動作信号受信時から５分後にＬＥＤ照明部１８のＬＥＤ２０群に所定の電流を供給させて発光させ、ＬＥＤ照明部１８を点灯させることができる。
【００３８】
また、上記ＬＥＤ照明機器において、周囲の明るさを検知する受光素子を組み合わせることにより、自動照度調整を行うことができる。ここで、周囲の明るさを検知する受光素子からの信号が信号処理回路１２に入力されると、信号処理回路１２は、予め設定されている周りの明るさに応じたＬＥＤ照度を検索し、検索されたＬＥＤ照度に応じて駆動電流が、走査線駆動回路１４および信号線駆動回路１６からＬＥＤ２０群に供給され、照度が自動調整される。その際に、上述同様に、信号処理回路１２からの動作コマンドに応じて、走査線駆動回路１４および信号線駆動回路１６からの駆動電流を制御して、ＬＥＤ照明部１８の一部または全体に、自動照度調整か否かを確認可能にするために「ＡＯＵＴ  ＯＮ」または「ＡＯＵＴ  ＯＦＦ」と文字表示させることもできる。また、自動照度調整に相当する図形表示を上述同様にして表示させてもよい。
【００３９】
また、急激な明るさの変化は、目への刺激が強くあまり好ましくないことから、照明をフェードインまたはフェードアウトさせて、明るさをリニアに調整することが望ましい。
本実施の形態のＬＥＤ照明機器においても点灯から消灯を徐々に行うフェードイン、フェードアウト機能を持たせることができる。その場合、上述したタイマー機能および照度表示と同様に、リモコンから照明のフェードインまたはフェードアウトの送信信号が送信されると、信号処理回路１２にてこの送信信号に相当する動作コマンドが検索され、この動作コマンドに応じた駆動電流が走査線駆動回路１４および信号線駆動回路１６からＬＥＤ２０群のほぼ全体に供給され、ＬＥＤ２０群の発光度合いが制御される。さらに、走査線駆動回路１４および信号線駆動回路１６から動作内容の表示のために、ＬＥＤ照明部１８の一部のＬＥＤ群２０に対し「変化させたのちの照度／変化に要する時間」または「ＯＦＦ／変化に要する時間」に相当する文字表示または図形表示のための電流を供給する。これにより、フェードインまたはフェードアウトのモードをＬＥＤ照明部１８に表示することができ、ユーザーは目視で確認することができる。
【００４０】
なお、本実施の形態では、Ｒ／Ｇ／Ｂの発光ダイオードからなるＬＥＤ照明部１８を例に取って説明したが、上述の文字表示、図形表示は、単一色のＬＥＤによっても実施可能である。
【００４１】
また、図５は、他の実施形態のＬＥＤ照明機器の構成を示すブロック図である。
【００４２】
他の実施の形態のＬＥＤ照明機器は、図５に示すように、送信機であるリモコンからの送信信号を受信する受光素子１０と、受光素子１０にて受信した送信信号のビット列に応じた動作コマンドを検索し、検索された動作コマンドに応じたＬＥＤ照明部１８の照明を行う動作信号を生成させるとともに、該動作コマンドに相当する動作内容を表示する表示信号を生成させる信号処理回路１２と、信号処理回路１２から出力された前記動作信号および／または表示信号を受信し、ＬＥＤ照明部１８における少なくとも１つ以上のＬＥＤを駆動させる駆動回路２２と、前記駆動回路２２からの駆動電流に応じて照明可能な複数のＬＥＤ２０からなるＬＥＤ群により構成されたＬＥＤ照明部１８と、を有する。なお、上述の実施の形態と同一の構成には同一の符号を付し、その説明を省略する。
【００４３】
本実施の形態では、ＬＥＤ照明部１８は、例えば、Ｒ／Ｇ／ＢからなるＬＥＤ群であってもよく、また白色発光のＬＥＤからなるＬＥＤ群により構成されていてもよい。さらに、ＬＥＤ２０は供給する電流値をリニアに変えることによって、ＬＥＤ２０における照度をリニアに変化させることができる。また、ＬＥＤ照明機器では、ＬＥＤ照明部１８を構成するＬＥＤ２０のチップの数が多い。
【００４４】
そこで、以下のような照明および動作表示を行うことができる。
【００４５】
［点灯・消灯表示］
例えば、リモコンによりユーザーから照明点灯の送信信号が受光素子１０を介して信号処理回路１２に入力されると、信号処理回路１２は、照明点灯の送信信号の固有のビット列に対応する「点灯」の動作コマンドを検索し、この「点灯」動作コマンドに応じた「点灯」動作信号および「点灯」表示信号を、駆動回路２２に送信する。そして、駆動回路２２から「点灯」動作信号に相当する電流および「点灯」表示信号に相当する電流がＬＥＤ照明部１８の各ＬＥＤ２０に供給される。
【００４６】
本実施の形態では、リモコンによる「点灯」信号がＬＥＤ照明機器にて受信されたことをユーザーに知らせるために、例えば、まず、点灯動作を行う前に、表示信号に基づいて、ＬＥＤ照明部１８の全体もしくは一部を一旦所定時間（例えば５秒間）点灯させた後に消灯し、消灯後所定時間（例えば５秒間）経過後に、動作信号に基づいて、ＬＥＤ照明部１８の全体を点灯させて点灯動作を完了させる。ここで、表示信号に基づいて、ＬＥＤ２０がＲ／Ｇ／Ｂの発光ダイオードからなる場合、例えばＬＥＤ照明部１８の全面または一部の青色ＬＥＤのみを点灯させてもよい。
【００４７】
また、別の態様として、リモコンによる「点灯」信号がＬＥＤ照明機器にて受信されたことをユーザーに知らせるために、例えば、まず、点灯動作を行う前に、表示信号に基づいて、ＬＥＤ照明部１８の全体もしくは一部を一旦所定時間（例えば５秒間）照度を例えば３０％にして点灯させたのち、動作信号に基づいて、ＬＥＤ照明部１８の全体を照度１００％で点灯させて点灯動作を完了させてもよい。ここで、表示信号に基づいて、ＬＥＤ２０がＲ／Ｇ／Ｂの発光ダイオードからなる場合、例えばＬＥＤ照明部１８の全面または一部の青色ＬＥＤのみを照度を３０％にして点灯させてもよい。
【００４８】
同様にして、照明の「消灯」の場合も、消灯に相当する送信信号が受信されると、「消灯」の動作コマンドが信号処理回路１２により検索され、信号処理回路１２からの信号に基づき、駆動回路２２から「消灯」動作信号に相当する電流および「消灯」表示信号に相当する電流がＬＥＤ照明部１８の各ＬＥＤ２０に供給される。
【００４９】
リモコンによる「消灯」信号がＬＥＤ照明機器にて受信されたことをユーザーに知らせるために、例えば、まず、消灯動作を行う前に、表示信号に基づいて、ＬＥＤ照明部１８の全体もしくは一部を一旦所定時間（例えば５秒間）消灯させた後に点灯させ、点灯後所定時間（例えば５秒間）経過後に、動作信号に基づいて、ＬＥＤ照明部１８の全体を消灯させ消灯動作を完了させる。ここで、表示信号に基づいて、ＬＥＤ２０がＲ／Ｇ／Ｂの発光ダイオードからなる場合、例えばＬＥＤ照明部１８の全面または一部の青色ＬＥＤのみを点灯させてもよい。
【００５０】
または、リモコンによる「消灯」信号がＬＥＤ照明機器にて受信されたことをユーザーに知らせるために、例えば、まず、消灯動作を行う前に、表示信号に基づいて、ＬＥＤ照明部１８の全体もしくは一部を一旦所定時間（例えば５秒間）照度を例えば３０％まで下げて所定時間（例えば５秒間）経過後に、動作信号に基づいて、ＬＥＤ照明部１８の全体を消灯させ消灯動作を完了させてもよい。
【００５１】
［照度変更表示］
また、照度を変更する場合は、照度変更動作を行う前に、表示信号に基づいて、予め照度の％毎に割り当てられた点滅数および点滅間隔でＬＥＤ照明部１８の全体または一部を照明表示する。例えば、リモコンにより、「照度４０％に変更」信号がＬＥＤ照明機器にて受信されると、ユーザーに知らせるために、まず、照度変更動作を行う前に、表示信号に基づいて、ＬＥＤ照明部１８の全体もしくは一部において、まず「照度変更」を開始することを知らせるために所定時間（例えば５秒間）青色ＬＥＤのみ点灯させ、その後「照度４０％」に相当する４回所定点滅間隔（例えば１秒間間隔）で点滅させ、その後、動作信号に基づいて、ＬＥＤ照明部１８の照度を４０％に変更させ照度変更動作を完了させてもよい。なお、「照度変更」開始を知らせるための所定時間の点灯は、青色ＬＥＤに限るものではなく、赤色ＬＥＤであっても、緑色ＬＥＤであってもよい。また、照度の％を知らせる点滅も、上述では、Ｒ／Ｇ／ＢからなるＬＥＤ群の場合であってもＲ／Ｇ／ＢからなるＬＥＤ全てを同様に点滅させているが、これに限るものではなく、上記「照度変更」開始を知らせるための所定時間の点灯時に用いた発光色のＬＥＤ以外の一色のＬＥＤを点滅させてもよい。
【００５２】
［タイマー表示］
次に、タイマー表示について以下に説明する。
通常、照明機器では、タイマー動作を照明機器から確認することは困難であった。そこで、本実施の形態では、タイマー設定時間に応じて、ＬＥＤ照明部１８の一部または全体で設定時間を点滅させることによって、ユーザーに対してタイマー動作を確認させることができる。
【００５３】
例えば、タイマー機能を利用して５分後にＬＥＤ照明機器を点灯させる場合、タイマー機能による５分後点灯に相当する送信信号が信号処理回路１２にて受信されると、「５分後点灯」の動作コマンドが信号処理回路１２により検索され、信号処理回路１２からの信号に基づき、駆動回路２２から「５分後点灯」動作信号に相当する電流および「点滅」表示信号に相当する電流がＬＥＤ照明部１８の各ＬＥＤ２０に供給される。
【００５４】
タイマー表示を行う場合、表示信号に基づいて、予めタイマーの時間毎に割り当てられた点滅数および点滅間隔でＬＥＤ照明部１８の全体または一部を照明表示する。例えば、リモコンにより、上述したように「５分後点灯」信号がＬＥＤ照明機器にて受信されると、ユーザーに知らせるために、まず、表示信号に基づいて、ＬＥＤ照明部１８の全体もしくは一部において、まず「点灯タイマー」を受信したことを知らせるために所定時間（例えば５秒間）赤色ＬＥＤのみ点灯させ、その後「５分」に相当する５回所定点滅間隔（例えば１秒間間隔）で点滅させ、その後、動作信号に基づいて、ＬＥＤ照明部１８を５分後に点灯させタイマー動作を完了させる。なお、「点灯タイマー」受信を知らせるための所定時間の点灯は、赤色ＬＥＤに限るものではなく、照度変更と判別可能であれば、青色ＬＥＤであっても、緑色ＬＥＤであってもよい。また、タイマーの開始時間を知らせる点滅も、上述では、Ｒ／Ｇ／ＢからなるＬＥＤ群の場合であってもＲ／Ｇ／ＢからなるＬＥＤ全てを同様に点滅させているが、これに限るものではなく、上記「タイマー開始時間」を知らせるための所定時間の点灯時に用いた発光色のＬＥＤ以外の一色のＬＥＤを点滅させてもよい。
【００５５】
また、例えば「５分後消灯」の場合は、表示信号に基づいて、ＬＥＤ照明部１８の全体もしくは一部において、まず「消灯タイマー」を受信したことを知らせるために所定時間（例えば５秒間）緑色ＬＥＤのみ点灯させ、その後「５分」に相当する５回所定点滅間隔（例えば１秒間間隔）で点滅させ、その後、動作信号に基づいて、ＬＥＤ照明部１８を５分後に点灯させタイマー動作を完了させる。なお、「消灯タイマー」受信を知らせるための所定時間の点灯は、緑色ＬＥＤに限るものではなく、照度変更や点灯タイマーと判別可能であれば、青色ＬＥＤであっても、赤色ＬＥＤであってもよい。また、タイマーの開始時間を知らせる点滅も、上述では、Ｒ／Ｇ／ＢからなるＬＥＤ群の場合であってもＲ／Ｇ／ＢからなるＬＥＤ全てを同様に点滅させているが、これに限るものではなく、上記「タイマー開始時間」を知らせるための所定時間の点灯時に用いた発光色のＬＥＤ以外の一色のＬＥＤを点滅させてもよい。
【００５６】
［自動照度調整モード表示］
また、上記ＬＥＤ照明機器において、周囲の明るさを検知する受光素子を組み合わせることにより、自動照度調整を行うことができる。ここで、周囲の明るさを検知する受光素子からの信号が信号処理回路１２に入力されると、信号処理回路１２は、予め設定されている周りの明るさに応じたＬＥＤ照度を検索し、検索されたＬＥＤ照度に応じて駆動電流が、駆動回路２２からＬＥＤ群に供給され、照度が自動調整される。その際に、上述同様に、信号処理回路１２からの動作コマンドに応じて、駆動回路２２からの駆動電流を制御して、ＬＥＤ照明部１８の一部または全体に、自動照度調整か否かをユーザーに知らせることができる。
【００５７】
例えば、リモコンによる「自動照度調整」信号がＬＥＤ照明機器にて受信されると、ユーザーに知らせるために、表示信号に基づいて、ＬＥＤ照明部１８の全体もしくは一部において、まず「自動照度調整」を受信したことを知らせるために所定時間（例えば１０秒間）青色ＬＥＤのみ点灯させ、その後、動作信号に基づいて、ＬＥＤ照明部１８を自動照度調整させる。一方、「自動照度調整解除」信号が受信された場合は、例えば、所定時間（例えば１０秒間）赤色ＬＥＤのみ点灯させ、その後、動作信号に基づいて、ＬＥＤ照明部１８における自動照度調整を解除する。なお、点灯させるＬＥＤの色は、上述のものに限るものではなく、自動照度調整の開始・解除が容易に判別可能な色の組み合わせであれば、Ｒ／Ｇ／Ｂのいずれの色を用いてもよい。
【００５８】
または、リモコンによる「自動照度調整」信号がＬＥＤ照明機器にて受信されると、ユーザーに知らせるために、表示信号に基づいて、ＬＥＤ照明部１８の全体もしくは一部において、まず「自動照度調整」を受信したことを知らせるために、「自動照度調整」特有の点滅パターン、例えば３秒点灯した後１秒消灯し再度３秒点灯した後１秒消灯のように等間隔でない特定のパターンで表示した後、動作信号に基づいて、ＬＥＤ照明部１８を自動照度調整させる。一方、「自動照度調整解除」信号が受信された場合は、例えば、「自動照度調整解除」特有の点滅パターン、例えば３秒消灯した後１秒点灯し再度３秒消灯した後１秒点灯のように等間隔でなく特定のパターンであって、上記自動照度調整開始パターンと差別化可能な点滅パターンで表示した後、動作信号に基づいて、ＬＥＤ照明部１８を自動照度調整させる。ここで、上記点滅は、Ｒ／Ｇ／Ｂの全ての発光色のＬＥＤで行ってもよく、またはＲ／Ｇ／Ｂのいずれか１色のＬＥＤにて行ってもよい。
【００５９】
また、上述したように、急激な明るさの変化は、目への刺激が強くあまり好ましくないことから、照明をフェードインまたはフェードアウトさせて、明るさをリニアに調整することが望ましい。本実施の形態のＬＥＤ照明機器においても点灯から消灯を徐々に行うフェードイン、フェードアウト機能を持たせることができる。その場合、上述したタイマー機能および照度表示と同様に、リモコンから照明のフェードインまたはフェードアウトの送信信号が送信させると、信号処理回路１２にてこの送信信号に相当する動作コマンドが検索され、この動作コマンドに応じた駆動電流が駆動回路２２からＬＥＤ２０群のほぼ全体に供給され、ＬＥＤ２０群の発光度合いが制御される。
【００６０】
この発光度合いの動作を行う前に、フェードインまたはフェードアウトのモードをＬＥＤ照明部１８に表示する。例えば、ＬＥＤ照明部１８が点灯していない場合（照明オフのとき）であって、「フェードイン」信号をリモコンからＬＥＤ照明機器が受信した場合、例えばＬＥＤ照明部１８の全体の照度を０％から３０％にソフトに照度変化を行い、直ぐに０％に戻すことで「フェードイン」信号が受信されたことをユーザーに知らせ、その後、点灯信号が入力された場合、徐々に照度を０％から１００％あるいは設定された照度に上げて点灯させる。
【００６１】
一方、ＬＥＤ照明部１８が点灯している場合（照明オンのとき）であって、「フェードアウト」信号をリモコンからＬＥＤ照明機器が受信した場合、例えば照明部１８の全体の照度を１００％から７０％にソフトに照度変化を行い、直ぐに１００％に戻すことで「フェードアウト」信号が受信されたことをユーザーに知らせ、その後、消灯信号が入力された場合、徐々に照度を１００％から０％に下げて消灯させる。
【００６２】
以上より、本実施の形態のＬＥＤ照明機器の信号処理回路１２では、予め、動作コマンドに相当する表示信号は一対一に決められており、簡単な駆動回路２２を用いても、ＬＥＤ照明部１８の全体または一部の点灯、点滅、照明変化、照明色の組み合わせにより、大量の動作コマンドにそれぞれ対応する照明表示を行うことができる。さらに、ＬＥＤ照明部１８を構成するＬＥＤの数は極めて多いため、動作に対応する照明表示を多様化させることができる。
【００６３】
以上、リモコンを用いて各種モードや切り替え動作を照明表示するＬＥＤ照明機器について説明したが、本願のＬＥＤ照明機器はこれに限るものではなく、照明機器の周辺、例えば壁面にコントローラを備えたＬＥＤ照明機器や、照明機器それ自体にコントローラを備えたＬＥＤ照明機器においても上述同様の照明表示を行うことができる。すなわち、上記コントローラを備えたＬＥＤ照明機器において、上述した図１および図５の受光素子１０を上記コントローラに置き換えることにより、コントローラから送信された送信信号を基に信号処理回路１２において動作信号および表示信号が走査線駆動回路１４、信号線駆動回路１６、または駆動回路２２に出力され、さらにこの動作信号および表示信号に基づいて走査線駆動回路１４、信号線駆動回路１６、または駆動回路２２からの駆動電流により、上述同様に、表示信号に基づいてＬＥＤ照明部１８において所望のモードや切り替え動作をユーザに認知させる照明表示を行うことができる。
【産業上の利用可能性】
【００６４】
本発明のＬＥＤ照明機器は、家庭用、業務用のいずれの用途の照明機器にも有効に用いることができる。
【図面の簡単な説明】
【００６５】
【図１】実施形態に係るＬＥＤ照明機器の構成を示すブロック図である。
【図２】実施形態のＬＥＤ照明部の構成の一例を示す図である。
【図３】実施形態のＬＥＤ照明部における文字表示の一例を示す図である。
【図４】実施形態のＬＥＤ照明部における図形表示の一例を示す図である。
【図５】実施形態に係る他のＬＥＤ照明機器の構成を示すブロック図である。
【符号の説明】
【００６６】
１０  受光素子、１２  信号処理回路、１４  走査線駆動回路、１６  信号線駆動回路、１８  ＬＥＤ照明部、２０  ＬＥＤ、２２  駆動回路。
【図１】
2006003750.tif 000003
【図２】
2006003750.tif 000004
【図３】
2006003750.tif 000005
【図４】
2006003750.tif 000006
【図５】
2006003750.tif 000007